(57)【特許請求の範囲】
【請求項１】
育苗器本体を構成する立方枠組構造からなる機枠の下部に段積みされた苗箱を支持する苗箱台を並設したフレームを設け、このフレームの下方に加熱手段をもつ保水器を配設し、一方、前記機枠に断熱材料よりなる立方形状の保温カバーを着脱可能に被覆するとともに、該保温カバーの内壁面に生じた結露水を前記保水器に還流させるようにし、前記保温カバーを構成する各側壁内面下部の略全巾に、下部に断面形状が樋状構造の流水路を形成し、かつ、前記保水器の周縁上に介入乗載する還水手段を夫々斜設せしめ、該還水手段を構成する流水路の傾斜下端に、比較的長尺でパイプ構造の還水部材を設けた温水育苗器において、前記流水路の内側辺縁と保温カバーの内壁面との間にメッシュ構造の結露水拡散手段を張設したことを特徴とする温水育苗器。
【発明の詳細な説明】
【０００１】
【産業上の利用分野】
本発明は、保温カバーの内壁面に生じた結露水を保水器に還流する温水育苗器の改善に関する。
【０００２】
【発明の技術的背景】
従来この種の温水育苗器においては、保温カバーで被覆された育苗器本体の内部は保水器から発散する水蒸気によって約３０℃に保温され、種籾の健全な発芽，育苗が効率よく行われるが、夜間における外気温度が２〜３℃に低下すると保温カバー内壁面に結露が発生し、この結露が保温カバー内面を伝って流下して育苗器外へ流出するため、育苗器周辺は水浸しになり汚損されるばかりでなく、保水器内の水不足をきたしその結果熱損失が生じ健全な苗が得られないという不都合があった。
【０００３】
【従来の技術】
上述のような課題を解決する手段として従来技術として、育苗器本体を構成する立方枠組構造からなる機枠の下部に段積みされた苗箱を支持する苗箱台を並設したフレームを設け、このフレームの下方に加熱手段をもつ保水器を配設し、一方、前記機枠を断熱材料よりなる立方形状の保温カバーを着脱可能に被覆するとともに、該保温カバーの内壁面に生じた結露水を、保温カバーの各内面略全巾に設けた水平姿勢の帯状還水シートを介して前記保水器に還流させるようにした温水育苗器が提案されている。（例えば、実公昭５１−１９００６号公報，実公平４−２４９２８号公報参照）
【０００４】
【発明が解決しようとする課題】
上述した従来技術は、保温カバーの内壁面に生じた結露水を、保温カバーの各内面略全巾に設けた水平姿勢の帯状還水シートを介して保水器に還流させるようにしたものであるが、常態では結露水は還水シートを介して保水器内に還流されるが、育苗器室内温度が約３０℃に昇温され外気温度が２〜３℃に低下すると、室内温度の作用により保温カバーの側壁が外側方に膨れて移動し、保水器の周縁上に乗載されている還水シートが保水器の周縁から外脱して結露水が還流されずに地面又は床面に流出し、育苗器周辺を汚損し又は保水器内の水不足が生じて健全な苗が得られなくなるという課題は依然として残されている。また、これらの課題を無くするために還水シートを必要以上に長くするか、あるいは保水器周縁から外脱しないための手段を講じなければならないという技術的課題がある。
【０００５】
本発明の目的は、保温カバー側壁の外側方への膨張移動に関係なく、確実に結露流下水が保水器内に還流され、常に健全な苗が得られる育苗器を提供することにある。
【０００６】
【課題を解決するための手段】
従来技術の課題を解決する本発明の構成は、育苗器本体を構成する立方枠組構造からなる機枠の下部に段積みされた苗箱を支持する苗箱台を並設したフレームを設け、このフレームの下方に加熱手段をもつ保水器を配設し、一方、前記機枠に断熱材料よりなる立方形状の保温カバーを着脱可能に被覆するとともに、該保温カバーの内壁面に生じた結露水を前記保水器に還流させるようにし、前記保温カバーを構成する各側壁内面下部の略全巾に、下部に断面形状が樋状構造の流水路を形成し、かつ、前記保水器の周縁上に介入乗載する還水手段を夫々斜設せしめ、該還水手段を構成する流水路の傾斜下端に、比較的長尺でパイプ構造の還水部材を設けた温水育苗器において、前記流水路の内側辺縁と保温カバーの内壁面との間にメッシュ構造の結露水拡散手段を張設したものである。
【０００７】
【作用】
保温カバーで被覆された育苗器本体の内部は保水器から発散する水蒸気によって育苗に適した温度に制御され、種籾の健全な発芽，育苗が効率よく行える。外気温度との温度差により保温カバーの内壁面に生じた結露の流下水は、メッシュ構造の拡散シート１１により分散されながら傾斜姿勢とした還水手段の流水路に流入流動しパイプ構造の還水部材から確実に保水器内に還流され、育苗器周辺を汚損することがなく、又保水器内の水不足により育苗効果を阻害することがない。この還水部材が比較的長尺のパイプ構造であることから、保温カバー側壁の外側方への膨張移動により保水器周縁から外脱することがない。
【０００８】
【実施例】
次に、内面について本発明実施例の詳細を説明する。
図１は縦断正面図、図２は縦断側面図、図３は要部の拡大断面図、図４は別実施例の要部の拡大断面図、図５は全体の斜視図である。
【０００９】
１は育苗器本体Ａを構成する立方枠組構造の機枠であって、この機枠１の下部には、段積みされた苗箱２を架載支持する多数の苗箱台３を並設乗載するフレーム４が設けてある。前記立方枠構造の機枠１には、断熱材料よりなる開閉可能な保温カバー５が着脱可能に被覆されている。この保温カバー５は図５に示すように、方形状をした天井構成部５ａの四辺に、裾部が床面に余裕をもって接する正面構成部５ｂ，後面構成部５ｃ及び左右側面構成部５ｄを夫々連設し、正面，後面，左右側面構成部５ｂ，５ｃ，５ｄの両側縁部をファスナー６にて開閉可能に結合せしめ、保温カバー５の任意な面が開閉されるように構成してある。
【００１０】
図１，図２から明らかなように、前記育苗器本体Ａの下部全域には保水器７が配設されている。この保水器７は、間口巾が小さく奥行きが育苗器本体Ａと略同長で、かつ、平面形状が長方形状な水槽７ａと、該水槽７ａの左右側面に一端を乗載係合し、左右外側方に至るに従い上向きに緩く傾斜するとともに、左右端縁を機枠１に係止した還流斜板７ｂを対称的に付設したものによって構成されており、前記水槽７ａ内には電気ヒータ８が没入してある。ちなみに前記保温カバー５は、肉厚約５ｍｍの発泡ウレタンシートの両面に光を透過しない合成樹脂シートをラミネートしたものによって構成する。育苗器本体Ａ、つまり温水育苗器は上述のように構成されている。
【００１１】
このように構成された温水苗器において本発明は、前記保温カバー５を構成する正面，後面，左右側面構成部５ｂ，５ｃ，５ｄの内壁面下部の略全巾に、帯状シート９の上端辺を各構成部５ｂ，５ｃ，５ｄの内壁面に接続し、この帯状シート９の下端辺を上向きに屈曲して断面形状が樋状の流水路１０を形成するとともに、この下端辺の端縁と前記各構成部５ｂ，５ｃ，５ｄの内壁面との間にメッシュ構造の結露水拡散シート１１を張設した構造の還水体１２を斜設し、更に、この還水体１２を構成する前記流水路１０の傾斜下端に、比較的長尺の還水パイプ１３を接続するとともに、前記還水体１２の下辺及び還水パイプ１３を図３で示すように、前記保水器７を構成する還流斜板７ｂの周縁部上に介入乗載したものである。
【００１２】
図４は前記還水体１２の別実施例を示しており、この実施例は、前記保温カバー５を構成する各構成部５ｂ，５ｃ，５ｄの裾部を利用して直接還水体１２の流水路１０を形成したものであって、前記各構成部５ｂ，５ｃ，５ｄの下端に床面に余裕をもって接するスカート部材１４を別設せしめたものである。
【００１３】
【発明の効果】
上述のように本発明の構成によれば、次のような効果が得られる。
（ａ）保温カバーで被覆された育苗器本体の内部は、保水器から発散される水蒸気によって発芽，育苗に適した温度に制御され、種籾の健全な発芽，育苗が効率よく行え、一方、外気温度との温度差により保温カバーの内壁面に生じた結露水が保水器に還流しうることは勿論のこと、
（ｂ）本発明においては、保温カバーの内壁面に生じた結露の流下水は、還水手段に設けた傾斜姿勢の流水路に集められ、この流水路の傾斜下端に設けた比較的長尺でバイプ構造の還水部材を介して確実に保水器に結露水を還流させることができる。即ち、従来技術のように、保温カバーの側壁が外側方に膨張移動し、保水器の周縁に乗載されている還水シートが保水器から外脱しても還水部材による還流を確保することができ、育苗器周辺の床面を汚損したり、保水器内の水不足による育苗効率に影響を及ぼすことがない。
（ｃ）還水手段にメッシュ構造の結露水拡散手段を張設したことにより、保温カバーの内壁面を流下する結露水を拡散減速し、確実に流水路に誘導することにより還水効率の向上が図れる。
【図面の簡単な説明】
【図１】縦断正面図である。
【図２】縦断側面図である。
【図３】要部の拡大断面図である。
【図４】別実施例の要部の拡大断面図である。
【図５】全体の斜視図である。
【符号の説明】
Ａ  育苗器本体
１  機枠
２  苗箱
３  苗箱台
４  フレーム
５  保温カバー
５ａ  天井構成部
５ｂ  正面構成部
５ｃ  後面構成部
５ｄ  左右側面構成部
６  ファスナー
７  保水器
７ａ  水槽
７ｂ  還流斜板
８  電熱ヒータ
９  帯状シート
１０  流水路
１１  結露水拡散シート
１２  還水体
１３  還水パイプ
１４  スカート部材
【図１】
0003585966.tif 000002
【図２】
0003585966.tif 000003
【図３】
0003585966.tif 000004
【図４】
0003585966.tif 000005
【図５】
0003585966.tif 000006